【手続補正書】
【提出日】平成22年5月20日(2010.5.20)
【手続補正１】
【補正対象書類名】明細書
【補正対象項目名】特許請求の範囲
【補正方法】変更
【補正の内容】
【特許請求の範囲】
【請求項１】物体側より順に、正の屈折力の第１群と負の屈折力の第２群と正の屈折力の第３群と正の屈折力の第４群から成り、該第１群は正の屈折力の第１Ａ群と第１Ｂ群より成り、広角端から望遠端への変倍に際し、該第１Ａ群は固定であり、該第１Ｂ群は固定若しくは移動しており、第２群は像面側に移動し、第３群は移動し、第４群は固定であり、フォーカシングは、該第１Ｂ群で行い、該第２群の一部または、全体を光軸と垂直方向に移動させて画像のブレを補正しており、第ｉ群の焦点距離をｆｉ、全系の広角端と望遠端の焦点距離を各々ｆＷ，ｆＴ、広角端から望遠端への変倍に伴う該第１Ｂ群と第２群の移動量を各々Ｍ１Ｂ，Ｍ２としたとき
０．４ ＜ ｆ１ ／ｆＴ＜０．９
０．１２＜｜ｆ２｜／ｆＴ＜０．２２
０．３３＜｜ｆ２｜／ｆＷ＜０．４８
０．４２＜ ｆ３ ／ｆＴ＜０．６６
０．４２＜ ｆ４ ／ｆＴ＜０．６
０ ≦ Ｍ１Ｂ／Ｍ２＜０．７
の条件式を満足することを特徴とする防振機能を有したズームレンズ。
【請求項２】前記第１Ａ群は、負レンズと２枚の正レンズより成り、前記第１Ｂ群は、正レンズと負レンズより成り、全体として負の屈折力を有するレンズ群であり、該第１Ａ群と第１Ｂ群の焦点距離を各々ｆ１Ａ，ｆ１Ｂとしたとき
０．５＜ ｆ１Ａ／ｆＴ ＜０．６
１．２＜｜ｆ１Ｂ｜／ｆＴ ＜１．８
の条件式を満足することを特徴とする請求項１の防振機能を有したズームレンズ。
【請求項３】前記第２群は２枚の負レンズと正レンズを有し、画像のブレの補正は該第２群全体を光軸と垂直方向に移動させて行い、
０．１６＜｜ｆ２｜／ｆＴ ＜０．２２
の条件式を満足することを特徴とする請求項２の防振機能を有したズームレンズ。
【請求項４】前記第１Ｂ群は負レンズと正レンズを有し、全体として正の屈折力のレンズ群であり、該第１Ａ群と第１Ｂ群の焦点距離を各々ｆ１Ａ，ｆ１Ｂとしたとき
０．９＜ ｆ１Ａ／ｆＴ＜１．１
０．７＜ ｆ１Ｂ／ｆＴ＜１
の条件式を満足することを特徴とする請求項１の防振機能を有したズームレンズ。
【請求項５】前記第２群は負の屈折力の第２Ａ群と正レンズと負レンズを有し全体として負の屈折力の第２Ｂ群を有し、該第２Ｂ群を光軸と垂直方向に移動させて画像のブレの補正を行い、該第２Ａ群と第２Ｂ群の焦点距離を各々ｆ２Ａ，ｆ２Ｂとしたとき
０．１２＜｜ｆ２ ｜／ｆＴ ＜０．１６
０．２ ＜｜ｆ２Ａ｜／ｆＴ ＜０．２６
０．４ ＜｜ｆ２Ｂ｜／ｆＴ ＜０．６
の条件式を満足することを特徴とする請求項４の防振機能を有したズームレンズ。
【請求項６】請求項１から５のいずれか１項の防振機能を有したズームレンズを有することを特徴とする光学機器。
【手続補正２】
【補正対象書類名】明細書
【補正対象項目名】００１２
【補正方法】変更
【補正の内容】
【００１２】
【課題を解決するための手段】
請求項１の発明の防振機能を有したズームレンズは、物体側より順に、正の屈折力の第１群と負の屈折力の第２群と正の屈折力の第３群と正の屈折力の第４群から成り、該第１群は正の屈折力の第１Ａ群と第１Ｂ群より成り、広角端から望遠端への変倍に際し、該第１Ａ群は固定であり、該第１Ｂ群は固定若しくは移動しており、第２群は像面側に移動し、第３群は移動し、第４群は固定であり、フォーカシングは、該第１Ｂ群で行い、該第２群の一部または、全体を光軸と垂直方向に移動させて画像のブレを補正しており、第ｉ群の焦点距離をｆｉ、全系の広角端と望遠端の焦点距離を各々ｆＷ，ｆＴ、広角端から望遠端への変倍に伴う該第１Ｂ群と第２群の移動量を各々Ｍ１Ｂ，Ｍ２としたとき
０．４ ＜ ｆ１ ／ｆＴ＜０．９‥‥‥（１）
０．１２＜｜ｆ２｜／ｆＴ＜０．２２‥‥‥（２）
０．３３＜｜ｆ２｜／ｆＷ＜０．４８‥‥‥（３）
０．４２＜ ｆ３ ／ｆＴ＜０．６６‥‥‥（４）
０．４２＜ ｆ４ ／ｆＴ＜０．６‥‥‥（５）
０ ≦ Ｍ１Ｂ／Ｍ２＜０．７‥‥‥（６）
の条件式を満足することを特徴としている。
【手続補正３】
【補正対象書類名】明細書
【補正対象項目名】００１３
【補正方法】変更
【補正の内容】
【００１３】
請求項２の発明は請求項１の発明において、前記第１Ａ群は、負レンズと２枚の正レンズより成り、前記第１Ｂ群は、正レンズと負レンズより成り、全体として負の屈折力を有するレンズ群であり、該第１Ａ群と第１Ｂ群の焦点距離を各々ｆ１Ａ，ｆ１Ｂとしたとき
０．５＜ ｆ１Ａ／ｆＴ ＜０．６‥‥‥（７）
１．２＜｜ｆ１Ｂ｜／ｆＴ ＜１．８‥‥‥（８）
の条件式を満足することを特徴としている。
【手続補正４】
【補正対象書類名】明細書
【補正対象項目名】００１４
【補正方法】変更
【補正の内容】
【００１４】
請求項３の発明は請求項２の発明において、前記第２群は２枚の負レンズと正レンズを有し、画像のブレの補正は該第２群全体を光軸と垂直方向に移動させて行い、
０．１６＜｜ｆ２｜／ｆＴ ＜０．２２‥‥‥（９）
の条件式を満足することを特徴としている。
【手続補正５】
【補正対象書類名】明細書
【補正対象項目名】００１５
【補正方法】変更
【補正の内容】
【００１５】
請求項４の発明は請求項１の発明において、前記第１Ｂ群は負レンズと正レンズを有し、全体として正の屈折力のレンズ群であり、該第１Ａ群と第１Ｂ群の焦点距離を各々ｆ１Ａ，ｆ１Ｂとしたとき
０．９＜ ｆ１Ａ／ｆＴ＜１．１‥‥‥（１１）
０．７＜ ｆ１Ｂ／ｆＴ＜１‥‥‥（１２）
の条件式を満足することを特徴としている。
【手続補正６】
【補正対象書類名】明細書
【補正対象項目名】００１６
【補正方法】変更
【補正の内容】
【００１６】
請求項５の発明は請求項４の発明において、前記第２群は負の屈折力の第２Ａ群と正レンズと負レンズを有し全体として負の屈折力の第２Ｂ群を有し、該第２Ｂ群を光軸と垂直方向に移動させて画像のブレの補正を行い、該第２Ａ群と第２Ｂ群の焦点距離を各々ｆ２Ａ，ｆ２Ｂとしたとき
０．１２＜｜ｆ２ ｜／ｆＴ ＜０．１６‥‥‥（１３）
０．２ ＜｜ｆ２Ａ｜／ｆＴ ＜０．２６‥‥‥（１４）
０．４ ＜｜ｆ２Ｂ｜／ｆＴ ＜０．６‥‥‥（１５）
の条件式を満足することを特徴としている。
【手続補正７】
【補正対象書類名】明細書
【補正対象項目名】００１７
【補正方法】変更
【補正の内容】
【００１７】
請求項６の発明の光学機器は、請求項１から５のいずれか１項の防振機能を有したズームレンズを有することを特徴としている。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００４４
【補正方法】変更
【補正の内容】
【００４４】
広角端から望遠端への変倍時に第１Ｂ群を像面側に移動させると、第１Ｂ群の外径をよりコンパクトにすることができる。条件式（６）は広角端から望遠端への変倍の際の第２群の移動量Ｍ２に対する第１Ｂ群の移動量Ｍ１Ｂの比を規定するものであり、下限値を越えて第１Ｂ群が物体側へ移動すると第１Ｂ群のコンパクト化が弱くなる。又、上限値を越えて第１Ｂ群の移動量を大きくしても、第１Ｂ群のレンズ外径が広角側の画面周辺部への光線で決まってくるため、これ以上に第１Ｂ群のコンパクト化が難しくなってくる。
【手続補正１２】
【補正対象書類名】明細書
【補正対象項目名】００４７
【補正方法】変更
【補正の内容】
【００４７】
条件式（８）は第１Ｂ群を負の屈折力のレンズ群より構成した場合である。条件式（７），（８）は、望遠端での全系の焦点距離に対する第１Ａ群と第１Ｂ群の屈折力の範囲を規定している。これは、第１Ｂ群での迅速な焦点合わせを可能にし、特に、オートフォーカスに好適なフォーカスを実現するためのものであり、条件式（７）、（８）の下限値を越えて、第１Ａ群の正の屈折力、第１Ｂ群の負の屈折力が強くなると、焦点合わせのための繰り出し量は減る方向だが、収差補正上不利となり、又条件式（７）、（８）の上限値をこえて、第１Ａ群の正の屈折力、第１Ｂ群の負の屈折力が弱くなると、収差補正上有利だが、焦点合わせの為の繰り出し量が増大してくる。
【手続補正１３】
【補正対象書類名】明細書
【補正対象項目名】００４８
【補正方法】変更
【補正の内容】
【００４８】
（ア−２）前記第２群は２枚の負レンズと正レンズを有し、画像のブレの補正は該第２群全体を光軸と垂直方向に移動させて行い、
０．１６＜｜ｆ２｜／ｆＴ ＜０．２２‥‥‥（９）
の条件式を満足することである。
【手続補正１４】
【補正対象書類名】明細書
【補正対象項目名】００５７
【補正方法】変更
【補正の内容】
【００５７】
（ア−５）前記第２群は負の屈折力の第２Ａ群と正レンズと負レンズを有し全体として負の屈折力の第２Ｂ群を有し、該第２Ｂ群を光軸と垂直方向に移動させて画像のブレの補正を行い、該第２Ａ群と第２Ｂ群の焦点距離を各々ｆ２Ａ，ｆ２Ｂとしたとき
０．１２＜｜ｆ２ ｜／ｆＴ ＜０．１６‥‥‥（１３）
０．２ ＜｜ｆ２Ａ｜／ｆＴ ＜０．２６‥‥‥（１４）
０．４ ＜｜ｆ２Ｂ｜／ｆＴ ＜０．６‥‥‥（１５）
の条件式を満足することである。